(57)【要約】【課題】  ロックレバーを回動して、受け具と掛脱することにより施解錠する打掛け錠に関して、閉め出し状態を確実に防止するとともに、非常時には外側から容易に解錠操作が可能な打掛け錠を提供すること。【解決手段】扉または壁に突出して取り付けられた凸状の受け具３と受け具３が取り付けられていない扉または壁に往復搖動自在且つ扉または壁に対して少なくとも作用部２１１が前後方向に移動可能のロックレバー２１が回転座の上に設けられた鍵本体（内側）２とからなる打掛け錠１であって、ロックレバー２１の作用部２１１が回動中心の垂下に位置する解錠位置から受け具３までの距離が近い円弧方向へ回動して、受け具３の掛止部３１に掛止されることにより施錠する。【選択図】図１
2014194124.tif 000002
【特許請求の範囲】
【請求項１】
扉または壁に突出して取り付けられた凸状の受け具と前記受け具が取り付けられていない扉または壁に往復搖動自在且つ扉または壁に対して少なくとも作用部が前後方向に移動可能のロックレバーが回転座の上に設けられた鍵本体とからなる打掛け錠であって、
前記ロックレバーの作用部が回動中心の垂下に位置する解錠位置から前記受け具までの距離が近い円弧方向へ回動して、前記受け具の掛止部に掛止されることにより施錠することを特徴とする打掛け錠。
【請求項２】
施錠位置の前記ロックレバーの作用部を扉又は壁と反対方向へ所定量持ち上げることにより前記ロックレバーの作用部と前記受け具との掛止が外れるとともに、自由状態にされた前記ロックレバーは少なくとも自重により前記解錠位置に戻る請求項１に記載の打掛け錠。
【請求項３】
前記ロックレバーは、前記回転座に設けた支点において、先端側の作用部と基端側の操作部とが前後方向に移動可能に支持されていることを特徴とする請求項１または２に記載の打掛け錠。
【請求項４】
前記鍵本体に前記ロックレバーを壁又は扉方向へ付勢させるためのばね体を備えていることを特徴とする請求項１，２または３に記載の打掛け錠。
【請求項５】
前記鍵本体に備えられた前記回転座には、少なくとも前記ロックレバーを前記解錠位置へ付勢するばね体が設けられていることを特徴とする請求項１，２，３または４に記載の打掛け錠。
【請求項６】
前記鍵本体の一部に鍵本体の外側から内側にかけて貫通する解錠ピンを備え、
前記解錠ピンの内側先端部と前記ロックレバーの作用部の裏面を当接させ、前記鍵本体の外側から、前記解錠ピンを内側へ押し込むことにより、前記ロックレバーの作用部が扉又は壁と反対方向へ所定量持ち上げられることにより前記ロックレバーと前記受け具との掛止が自動的に外されて解錠することができる非常解錠機構を備えていることを特徴とする請求項１，２，３，４または５に記載の打掛け錠。
【発明の詳細な説明】
【技術分野】
【０００１】
本発明は、トイレのドアの内側等に設けられる、ロックレバーを回動して、受け具と掛脱することにより施解錠する打掛け錠に関して、特に閉め出し状態を確実に防止するとともに、非常時には外側から簡単に解錠操作が可能な打掛け錠に関するものである。
【背景技術】
【０００２】
従来から、公共施設や、ホテル、医療関係施設等のトイレにおいて、その扉の施錠装置として打掛け錠がよく用いられている。これらの施設で採用されている打掛け錠は、扉または壁のいずれか一方に受け具と他方に鍵本体が設置され、前記鍵本体に回動自在に備えられたロックレバーを回動させて、前記受け具に掛けることにより、扉の施錠を行うものである。
【０００３】
しかしながら、このような打掛け錠は、解錠、施錠操作がロックレバーを回動させるだけの簡易な操作で行える反面、解錠時において回動途中で操作者が扉を開けて外側に出たまま扉を閉めた場合や、いたずらでロックレバーを起立させた状態で維持させて、外側から扉を閉める行為等により、ロックレバーが扉の閉まる勢いにより受け具方向へ再度傾き、個室内に誰もいない状態で施錠される、いわゆる閉め出しが起こっていた。
【０００４】
この原因として、特許文献１及び２に記載されているような従来の打掛け錠は、ロックレバーを回動中心に起立させるように回動させて受け具の上方向から前記ロックレバーを受け具の掛止部と係合させる構造であるため、操作者が前記ロックレバーを操作時において、前記ロックレバーを施錠時から約９０度の起立状態までの回動角の範囲で前記ロックレバーを維持した状態で、扉が閉められると扉が閉まる時の勢いと共に受け具に前記ロックレバーが戻り、再度施錠状態となることで閉め出しが発生する。
【０００５】
そこで、前記閉め出し防止方法として、特許文献１の打掛け錠においては、レバー回動軸の外周に掛合溝を形成するとともに、その対向位置に板ばねを設け、この板ばねと掛合溝の掛合により、ロックレバーを起立姿勢で保持するように構成されている。このロックレバーを保持する機構があることにより扉が閉められた場合であっても、誤ってロックレバーが倒れて扉が施錠されるようなことがないため、閉め出し状態を防止できるというものである。
【０００６】
しかしながら、上記のような構成を有していた場合であっても、鍵の設置から時間が経過することにより、回動性能が低下しているような場合や、板ばねの劣化等が発生している場合には、前記掛合溝が設置されている位置以外の位置においても、ロックレバーが固定可能となっていることが考えられ、このような場合には、扉を閉じた際の衝撃により前記ロックレバーが倒れて閉め出し状態が発生する可能性がある。
【０００７】
そして、前述のようにこの種の打掛け錠は公共施設や医療機関等のトイレに設置されることが多いため、トイレ個室内において使用者がなんらかの理由により倒れている可能性や、前記のような閉め出し状態が起きている場合、どちらの場合においても早急に外側からの解錠操作が必要となる。
【０００８】
これらの場合の従来の非常用の解錠方法としては、特許文献１に記載されているように、外側の一部にロックレバーの中心軸と連結された部分を露出させ、その先端を外側からドライバーや専用工具により中心軸を直接回動させることにより、解錠する方法が知られている。
【０００９】
しかしながら、前記のドライバーや専用工具を用いて解錠する方法の場合には、例えば中に使用者が倒れている場合においては、発見者がこれらの工具を保持していない場合には、解錠操作が遅れることになり、結果的に救出までの時間がかかる問題や、コイン等で解除できるように設計されているものにおいてはいたずら目的で解錠される問題があった。
【先行技術文献】
【特許文献】
【００１０】
【特許文献１】特開２００２−１５５６４９号公報
【特許文献２】特開２０１０−２４６８８号公報
【発明の概要】
【発明が解決しようとする課題】
【００１１】
そこで、本発明は、ロックレバーを回動して、受け具と掛脱することにより施解錠する打掛け錠に関して、特に閉め出し状態を確実に防止するとともに、非常時には外側から容易に解錠操作が可能な打掛け錠を提供することを課題とする。
【課題を解決するための手段】
【００１２】
前記課題を解決するためになされた本発明は、扉または壁に突出して取り付けられた凸状の受け具と前記受け具が取り付けられていない扉または壁に往復搖動自在且つ扉または壁に対して前後方向に移動可能のロックレバーが回転座の上に設けられた鍵本体とからなる打掛け錠であって、前記ロックレバーが回動中心の垂下に位置する解錠位置から前記受け具までの距離が近い円弧方向へ摺動し、前記受け具の掛止部に掛止されることにより施錠することを特徴とする。
【００１３】
さらに、施錠位置の前記ロックレバーの作用部を扉または壁と反対方向へ持ち上げると前記ロックレバーの作用部と前記受け具との掛止が外れるとともに、前記ロックレバーは少なくとも自重により回動し、前記作用部は前記解錠位置に戻るように配置される。
【００１４】
さらに、前記ロックレバーと回転座の間に前記ロックレバーを壁又は扉方向へ付勢させるためのばね体を設けて、前記作用部と前記受け具の掛止を確実なものとして、振動等により外れることがないように構成するとともに、前記回転座には、前記ロックレバーを前記解錠位置へ付勢するばね体を設けることにより、前記受け具と前記作用部の掛止が外れた場合には、前記ばね体の付勢力により解錠位置方向へ回動する構成とすることを特徴とする。
【００１５】
また、前記打掛け錠は、前記鍵本体の一部に鍵本体の外側から内側にかけて貫通する解錠ピンを備え、前記解錠ピンの内側先端部と前記ロックレバーの作用部の裏面を当接させ、前記鍵本体の外側から、前記解錠ピンが内側方向へ押し込まれることにより、前記ロックレバーの作用部が扉又は壁と反対方向へ所定量持ち上げられて前記ロックレバーの作用部と前記受け具との掛止を外すと同時に自動的に解錠することができる非常解錠機構を備えているため、前記内側から解錠ができない場合であっても容易且つ迅速に外側から解錠操作を行うことができる。
【図面の簡単な説明】
【００１６】
【図１】本発明の実施の形態に係る打掛け錠の内側正面図
【図２】本発明の実施の形態に係る打掛け錠のカバー体を外した内側正面図
【図３】本発明の実施の形態に係る打掛け錠の平面図
【図４】本発明の実施の形態に係る打掛け錠の受け具の側面図
【図５】本発明の実施の形態に係る打掛け錠の断面図
【図６】本発明の実施の形態に係る打掛け錠の外側正面図
【発明を実施するための形態】
【００１７】
次に、本発明を好ましい実施の形態に基づいて詳細に説明する。
【００１８】
図１は、個室の内側の扉に本実施の形態の打掛け錠が取り付けられている様子（施錠状態）を示した正面図であり、図２は、図１の打掛け錠のカギ本体部からカバー体を外した状態を示しており、（ａ）は前記打掛け錠が施錠されロックレバーが施錠位置にある状態を示し、（ｂ）は前記打掛け錠が解錠されてロックレバーが解錠位置にある状態を示している。図３は、本実施の形態に係る打掛け錠の平面図であり、扉Ｙを介して鍵本体（内側）と鍵本体（外側）とが連結されている様子を表している。図４は、本実施の形態に係る打掛け錠の受け具を側面方向から示した図面である。図５は、本実施の形態における打掛け錠の断面図を表した図であり、（ａ）は施錠されている状態を示し、（ｂ）は非常時において外側から解錠ピンが押され、解錠される状態を示している。図６は、本実施の形態に係る打掛け錠の外側正面図を示した図である。
【００１９】
図１に示す本実施の形態の打掛け錠は公共施設や医療関連施設または、商業施設のトイレ、特にいわゆる多目的トイレと呼ばれるようなトイレの扉の施錠を目的とした打掛け錠であり、本実施の形態においては、正面右側の扉に鍵本体を取付け、左側の壁に受け具を設けた打掛け錠としたが、扉側に受け具を取付け、壁側に鍵本体を取り付けることも、また右勝手扉または左勝手扉のどちらの扉にも部品交換等を必要なく取付け可能である。
【００２０】
そして、図１および図２に示すように、鍵本体（内側）２は、ロックレバー２１とロックレバー２１を回動させるための回転座２２と扉または壁に固定するための台座２６、そして、ロックレバー２１の作用部２１１と、その他端側に位置する操作部２１２と作用部２１１の先端に受け具３と掛止するための掛止凸部２１３から構成される。
【００２１】
また、図３の平面図に示すように、鍵本体（内側）２と鍵本体（外側）４とは、扉Ｙを介して２本のボルトにより連結されて固定されている。また、両ボルトの略中間の距離の辺りには、非常用の解錠ピン４５が鍵本体の外側から内側に連通して設けられている。
【００２２】
加えて、図４に示すように、壁側に取り付けられた受け具３は壁面に凸状に取り付けられ前記ロックレバー２１の作用部２１１を掛止するための部材であって、その高さは前記ロックレバー２１の前後の移動幅よりは低く設計されている。また、本実施の形態においては、側面が略台形形状の下側の傾斜面３２がテーパ状に傾斜することにより、前記ロックレバー２１の作用部２１１がスムースに受け具３の傾斜面３２の表面を通過して掛止部３１に作用部２１１の先端に設けられた掛止凸部２１３が掛止するように構成されている。なお、本実施の形態において受け具３はその下方の一部に傾斜面３２を備えるとともに掛止部３１を設けた構造としたが、前記ロックレバー２１の作用部２１１を掛脱できる凸条が備えられていればこの構造に限られない。
【００２３】
さらに、図５の断面図に示すように、ロックレバー２１は、支持軸２８に設けられたばね体２５により常に壁Ｘまたは扉Ｙ方向付勢されているため、振動等によって容易に受け具３から掛止凸部２１３が外れることがない。また、前記ロックレバー２１が位置する前記鍵本体（内側）２の回動座２２は、ばね体２４を備え、前記ロックレバー２１を回動座２２の中心から垂下方向へ、つまり、作用部２１１を下方向（解錠方向）へ回動するように付勢されている。
【００２４】
そして、図５（ａ）および（ｂ）に示すように、解錠ピン４５は、鍵本体（外側）４においては、その先端にばね体４４を介して非常解錠ボタン４３が接続されるとともに、鍵本体（内側）２まで連通し、前記解錠ピン４５の内側先端とロックレバー２１の裏面の作用部２１１の基端部が近接配置されている。なお、解錠ピン４５の長さについては、特に限定されないが、ロックレバー２１の作用部２１１を押して、前記作用部２１１の先端の掛止凸部２１３と受け具３との掛止を解除することができる長さで且つ、安易に鍵本体（外側）４から押すことができないようにカバー体表面と面一または少し凹んだ位置となるような長さに調整することが好ましい。
【００２５】
また、鍵本体（外側）４においては、図６に示すように、円形のカバー４１と非常解錠ボタン４３、及び扉の状態をわかりやすく示すための表示窓４６が台座４２上に設けられている。
【００２６】
続いて、施錠及び解錠の構造について説明する。
【００２７】
図２の（ｂ）は解錠状態の本実施の形態に係る打掛け錠を示している。解錠状態においては、ロックレバー２１の作用部２１１は回動中心から略直行下方向に位置している。使用者が、打掛け錠１を施錠する場合には、少なくとも鍵本体（内側）２のロックレバー２１の操作部２１２が位置している側のカバー体２３を回動させることにより、作用部２１１を前記受け具３の掛止部３１に向かって下方向から図２（ｂ）の矢印方向に回動させる。
【００２８】
そして、前記ロックレバー２１の作用部２１１に設けられた掛止凸部２１３が受け具３の下端から傾斜面３２に沿って上昇する。このとき、ロックレバー２１の作用部２１１の先端に位置する掛止凸部２１３が傾斜面３２を登るにつれて前記作用部２１１は持ち上がり、掛止凸部２１３が傾斜面３２の終端から所定の距離進むと、受け具３の掛止部３１に到達する。そして、掛止部３１に到達したロックレバー２１の作用部２１１は、ばね体２５の付勢力により、その先端の掛止凸部２１３が掛止部３１の孔に挿入され、前記掛止凸部２１３と掛止部３１とが掛止されることにより施錠される（図２（ａ））。
【００２９】
解錠時においては、操作部２１２をばね体２５の付勢力に抗して押すと前記掛止凸部２１３と掛止部３１の掛止が外れるとともに、ロックレバー２１の自重とばね体２４の付勢力により、自然状態のロックレバー２１の作用部２１１は解錠位置方向へ回動し解錠される（図２（ｂ））。
【００３０】
また、図２（ａ）及び（ｂ）の正面図に示したように、本実施の形態に係る打掛け錠においては、鍵本体（内側）２の台座２６の所定の位置にストッパ２７を設けることにより、ロックレバー２１の回動域は、一定範囲に制限されている。これにより、ロックレバー２１が回動中心から上方向で起立する位置まで回動することを防止して、無理な回動操作によるばね体２４の破損を防ぐだけでなく、ロックレバー２１が起立状態となることを確実に防止する。なお、回動範囲としては、少なくとも解錠位置から受け具３の掛止部３１までの範囲であれば施解錠に問題は生じないが、扉の左勝手または右勝手の両方に対応させるため、本実施例においてはある程度幅を持って、ロックレバーが起立しない程度に台座２６の２カ所にスットパ２７を設けた。
【００３１】
さらに、従来の打掛け錠においては、ロックレバーが何らかの原因により途中で止まり、外側からの表示窓がほぼ在室を示すような中途半端な表示をしていることにより、実際には施錠はされていないが、表示が明示されていないため入りづらくなるといった状況が発生することがあったが、本実施の形態における打掛け錠１においては、施錠位置または解錠位置の途中でロックレバーが固定されることがないため、図６に示す表示窓４６が中途半端な表示をすることがない。
【００３２】
加えて、本実施の形態に係る打掛け錠１においては、ロックレバー２１の操作部２１２側を持つなどして、前記ロックレバーが滑らかに回動しないことや、ロックレバー２１の間に指を挟むなどの事故や、使用者の身体的な状態に関係なくスムースに施錠できるようにするため、鍵本体（内側）２の全体をカバー体２３で覆い、前記カバー体２３全体が回動することにより、ロックレバーを手または指で回動することはもちろんのこと、カバーの操作部２１２側を肘や肩で回して容易に施錠することが可能である。そして、解錠する場合においては、操作部２１２を押す動作のみで自動的に解錠されるため、解錠操作で迷うことがない。
【００３３】
次に非常時の解錠操作について説明する。
【００３４】
本実施の形態に係る打掛け錠においては、室内において人が意識を失っている等の理由により、自力で部屋の内側からの解錠操作が困難であるとき等の非常時に外側から鍵を解錠する非常解錠装置が備えられている。これは、図５（ａ）及び（ｂ）に示すように、表示窓４６の下方の鍵本体（外側）４の略中央部に非常解錠ボタン４３を配置し、前記非常解錠ボタン４３をボールペン等の細い棒状の物を用いて押すことにより解錠操作ができる装置である。
【００３５】
具体的には、非常解錠ボタン４３が押されると、鍵本体の外側から内側まで連通している解錠ピン４５が押され、前記解錠ピン４５が内側のロックレバー２１の作用部２１１の裏面の胴部を直接押すことで、前記作用部が所定量持ち上げられ、受け具３の掛止部３１と掛止凸部２１３との掛合が外れる。これとほぼ同時に自由状態になったロックレバー２１は、ばね体２４の作用により解錠方向へ回動し、打掛け錠１を解錠する。
【００３６】
この非常解錠方法によれば、従来のような特殊工具を用いた解錠や、ドライバーで強制的にロックレバーを回動させる方式ではなく、棒で押すだけで解錠できるため、力をそれ程必要とせず、且つロックレバーが何らかの理由により回動しない場合であっても解錠することができる、一方、非常解錠ボタンはカバー面とほぼ面一または少し凹んで配置されていることから、誤って押されて解錠されることや、コイン等を用いていたずら目的で解錠される心配もない。
なお、本実施の形態においては、非常解錠ボタン４３を押す動作のみでロックレバー２１の作用部２１１を解錠方向へ落とす方式としているが、非常解錠操作としては、例えば、押した後に回動させる方式や、非常解錠ボタンに蓋をして非常時には前記蓋を剥がす等の操作を上記の基本的な非常解錠操作に付加してもよい。
【符号の説明】
【００３７】
１  打掛け錠、２  鍵本体（内側）、２１  ロックレバー、２１１  作用部，２１２  操作部，２１３  掛止凸部，２２  回転座、２３  カバー体、２４  ばね体、２５  ばね体、２６  台座，２７  ストッパ，３  受け具、３１  掛止部、３２  傾斜面，４  鍵本体（外側）、４１  カバー体、４２  台座、４３  非常解錠ボタン、４４  ばね体、４５
解錠ピン、４６  表示窓
【図１】
2014194124.tif 000003
【図２】
2014194124.tif 000004
【図３】
2014194124.tif 000005
【図４】
2014194124.tif 000006
【図５】
2014194124.tif 000007
【図６】
2014194124.tif 000008